(57)【要約】【課題】炊飯可能な外部燃焼機器にて炊飯用容器を用いて炊飯する場合に、適切に炊飯できるようにガス燃料の供給量を制御することが可能な炊飯制御用補助器を提供する。【解決手段】ガス燃料供給源と炊飯可能な外部燃焼機器Ｋとの間に介装されて、外部燃焼機器Ｋへのガス燃料の供給量を炊飯のために制御する炊飯制御用補助器であって、ガス燃料供給源からガス燃料入口１を通じて受け入れて、ガス燃料出口３を通じて外部燃焼機器Ｋへ供給するガス燃料の流量を調節する流量調節手段Ｖと、ガス燃料の供給開始タイミングから供給終了タイミングまでの間における時間経過と流量との関係として設定された流量調節形態にてガス燃料の流量を調節し且つ供給終了タイミングになるとガス燃料の供給を停止するように、流量調節手段Ｖを制御する制御手Ｃとが設けられている。【選択図】        図２
2004209135.tif 000002
【特許請求の範囲】
【請求項１】
ガス燃料供給源と炊飯可能な外部燃焼機器との間に介装されて、前記外部燃焼機器へのガス燃料の供給量を炊飯のために制御する炊飯制御用補助器であって、
前記ガス燃料供給源からガス燃料入口を通じて受け入れて、ガス燃料出口を通じて前記外部燃焼機器へ供給するガス燃料の流量を調節する流量調節手段と、
ガス燃料の供給開始タイミングから供給終了タイミングまでの間における時間経過と流量との関係として設定された流量調節形態にてガス燃料の流量を調節し且つ前記供給終了タイミングになるとガス燃料の供給を停止するように、前記流量調節手段を制御する制御手段とが設けられている炊飯制御用補助器。
【請求項２】
前記流量調節形態を変更設定可能なように構成されている請求項１記載の炊飯制御用補助器。
【請求項３】
前記制御手段が、前記流量調節形態の時間経過に関連付けて設定された炊飯終了報知タイミングになると報知手段を報知作動させるように構成されている請求項１又は２記載の炊飯制御用補助器。
【請求項４】
前記外部燃焼機器を載置支持可能な偏平状に形成されたケーシングを備えて構成されている請求項１〜３のいずれか１項に記載の炊飯制御用補助器。
【発明の詳細な説明】
【０００１】
【発明の属する技術分野】
本発明は、ガス燃料供給源と炊飯可能な外部燃焼機器との間に介装されて、前記外部燃焼機器へのガス燃料の供給量を炊飯のために制御する炊飯制御用補助器に関する。
【０００２】
【従来の技術】
五徳上に載置した加熱対象容器をガスバーナで加熱するように構成したガスコンロや、かまどに支持した加熱対象容器をガスバーナにて加熱するように構成したガスかまど等、炊飯可能な外部燃焼機器（以下、単に外部燃焼機器と称する場合がある）にて、鍋や釜等の炊飯用容器を用いて炊飯する場合がある。特に、近年では、レストラン等において、テーブルの上等において、客に見せながら外部燃焼機器にて炊飯用容器を用いて炊飯して、ご飯を提供することが行われるようになってきている。
このように外部燃焼機器を用いて炊飯する場合、適切に炊飯するためには、適切なタイミングで適切な火力に調節する等、時間経過に伴う火力の調節を適切に行う必要がある。
このような外部燃焼機器の一例としてのガスコンロとして、従来、例えば、ガスバーナを１台設けた所謂一口ガスコンロや（例えば、特許文献１参照。）、ガスバーナを２台設けた所謂二口ガスコンロがあった（例えば、特許文献２参照。）。
これらのガスコンロには、ガスバーナへのガス燃料の供給量を人為操作にて調節するガス量調節つまみを設けてあり、そのガス量調節つまみを人為的に操作することにより、火力を調節するようになっていた。
つまり、これらのガスコンロにより炊飯する場合は、人が、炊飯用容器にて炊飯している状態（例えば、吹き零れ状態）を見て、勘により火力変更のタイミングを判断して、ガス量調節つまみを操作して勘により火力を調節していた。
【０００３】
【特許文献１】
特公平５−３４５６５号公報
【特許文献２】
実開昭６１−６０００１号公報
【０００４】
【発明が解決しようとする課題】
しかしながら、従来では、火力変更のタイミングの判断、及び、火力調節のためのガス燃料の流量調節は、人の勘に頼ることになるので、適切に炊飯することが行い難いという問題があった。
【０００５】
本発明は、かかる実情に鑑みてなされたものであり、その目的は、炊飯可能な外部燃焼機器にて炊飯用容器を用いて炊飯する場合に、適切に炊飯できるようにガス燃料の供給量を制御することが可能な炊飯制御用補助器を提供することにある。
【０００６】
【課題を解決するための手段】
〔請求項１記載の発明〕
請求項１に記載の炊飯制御用補助器は、ガス燃料供給源と炊飯可能な外部燃焼機器との間に介装されて、前記外部燃焼機器へのガス燃料の供給量を炊飯のために制御するものであって、
前記ガス燃料供給源からガス燃料入口を通じて受け入れて、ガス燃料出口を通じて前記外部燃焼機器へ供給するガス燃料の流量を調節する流量調節手段と、
ガス燃料の供給開始タイミングから供給終了タイミングまでの間における時間経過と流量との関係として設定された流量調節形態にてガス燃料の流量を調節し且つ前記供給終了タイミングになるとガス燃料の供給を停止するように、前記流量調節手段を制御する制御手段とが設けられている点を特徴構成とする。
即ち、制御手段は、ガス燃料の供給開始タイミングから供給終了タイミングまでの間は、その間の時間経過と流量との関係として設定された流量調節形態にてガス燃料の流量を調節するように流量調節手段を制御し、供給終了タイミングになると、ガス燃料の供給を停止するように流量調節手段を制御する。
つまり、時間経過に伴う外部燃焼機器の火力の調節を適切に行って適切に炊飯することが可能なように、予め、ガス燃料の供給開始タイミングから供給終了タイミングまでの間における時間経過と流量との関係を調べて、その関係を前記流量調節形態として設定する。
すると、制御手段により、前述のように設定した流量調節形態にて外部燃焼機器へガス燃料が供給されるように、流量調節手段が自動的に制御されることになるので、適切に炊飯することが可能なように、時間経過に伴う外部燃焼機器の火力の調節が自動的に行われることになり、もって、外部燃焼機器にて炊飯用容器を用いて適切に炊飯することが可能となる。
従って、炊飯可能な外部燃焼機器にて炊飯用容器を用いて炊飯する場合に、適切に炊飯できるようにガス燃料の供給量を制御することが可能な炊飯制御用補助器を提供することができるようになった。
【０００７】
〔請求項２記載の発明〕
請求項２に記載の炊飯制御用補助器は、請求項１において、前記流量調節形態を変更設定可能なように構成されている点を特徴構成とする。
即ち、流量調節形態を変更設定可能なように構成されているので、例えば、炊飯する米の量や銘柄に合わせて、適切に炊飯できるように流量調節形態を変更設定することができる。
従って、一層適切に炊飯できるように外部燃焼機器へのガス燃料の供給量を制御することが可能となった。
【０００８】
〔請求項３記載の発明〕
請求項３に記載の炊飯制御用補助器は、請求項１又は２において、前記制御手段が、前記流量調節形態の時間経過に関連付けて設定された炊飯終了報知タイミングになると報知手段を報知作動させるように構成されている点を特徴構成とする。
即ち、制御手段は、流量調節形態の時間経過に関連付けて設定された炊飯終了報知タイミングになると、報知手段を報知作動させる。
つまり、例えば、供給終了タイミングから蒸らし時間が経過すると終了報知タイミングになるというように、適切な炊飯終了報知タイミングを流量調節形態の時間経過に関連付けて設定しておくと、炊飯終了報知タイミングになると報知手段が自動的に報知作動するので、適切な炊飯終了のタイミングで炊飯終了が自動的に報知されるようにすることが可能となる。
従って、適切な炊飯終了のタイミングで炊飯終了が自動的に報知されるので、使い勝手性を向上することができる。
【０００９】
〔請求項４記載の発明〕
請求項４に記載の炊飯制御用補助器は、請求項１〜３のいずれかにおいて、前記外部燃焼機器を載置支持可能な偏平状に形成されたケーシングを備えて構成されている点を特徴構成とする。
即ち、外部燃焼機器を載置支持可能な偏平状に形成されたケーシングに、前記流量調節手段、制御手段及び報知手段等、炊飯制御用補助器を構成する各構成要素を収納して、炊飯制御用補助器を構成することが可能となる。
そして、ケーシング上に外部燃焼機器を載置した状態で、その外部燃焼機器により炊飯用容器を用いて炊飯することが可能となる。
従って、設置スペースを狭くしながら、外部燃焼機器にて炊飯用容器を用いて適切に炊飯することが可能となった。
【００１０】
【発明の実施の形態】
〔第１実施形態〕
以下、図面に基づいて、本発明の第１実施形態を説明する。
図１に示すように、炊飯制御用補助器Ｈは、そのガス燃料入口１をホース２にてガス供給源の一例である都市ガス供給用のガス元栓Ｓに接続し、そのガス燃料出口３をホース４にて外部燃焼機器の一例である一口ガスコンロＫのガス供給口５に接続して、ガス元栓Ｓと一口ガスコンロＫとの間に介装する。図１中、６は、一口ガスコンロＫのガスバーナ７（図２参照）へのガス燃料の供給量を調節するためのガス量調節つまみである。
そして、炊飯制御用補助器Ｈにて、一口ガスコンロＫのガスバーナ７へのガス燃料の供給量を炊飯のために制御する状態で、ガスバーナ７を燃焼させて、五徳８上に載置した炊飯用容器の一例である鍋Ｎを用いて炊飯するようになっている。
【００１１】
炊飯制御用補助器Ｈは、一口ガスコンロＫを載置支持可能な偏平状に形成したケーシング９内に、炊飯制御用補助器Ｈを構成する各構成要素（詳細は後述する）を収納して構成してあり、ホース４にてガス燃料出口３に接続した一口ガスコンロＫをケーシング９上に載置して使用するようになっている。
【００１２】
図２に示すように、炊飯制御用補助機Ｈには、元ガス栓Ｓからガス燃料入口１を通じて受け入れて、ガス燃料出口３を通じて一口ガスコンロＫへ供給するガス燃料の流量を調節する流量調節手段Ｖと、報知手段としての終了ブザー１０と、ガス燃料の供給開始タイミングから供給終了タイミングまでの間における時間経過と流量との関係として設定された流量調節形態にてガス燃料の流量を調節し且つ前記供給終了タイミングになるとガス燃料の供給を停止するように、前記流量調節手段Ｖを制御し、並びに、前記流量調節形態の時間経過に関連付けて設定された炊飯終了報知タイミングになると前記終了ブザー１０を作動する制御手段Ｃとを設けてある。
【００１３】
説明を加えると、両端に前記ガス燃料入口１とガス燃料出口３とを備え且つ中間に主ガス路電磁弁１１と手動式の流量調節弁１２とを備えた主ガス路１３を設け、補助ガス路電磁弁１４を備えた補助ガス路１５を、前記主ガス路１３における主ガス路電磁弁１１及び流量調節弁１２の介装箇所をバイパスする状態で、主ガス路１３に接続してある。
主ガス路電磁弁１１及び補助ガス路電磁弁１４の両方を開弁すると、主ガス路１３及び補助ガス路１５の両方をガス燃料が流れる状態となって、一口ガスコンロＫに供給するガス燃料の流量が設定大流量に設定される状態となり、主ガス路電磁弁１１を開弁し且つ補助ガス路電磁弁１４を閉弁すると、主ガス路１３のみをガス燃料が流れる状態となって、一口ガスコンロＫに供給するガス燃料の流量が前記設定大流量よりも少ない設定小流量に設定される状態となる。ちなみに、手動式の流量調節弁１２を人為操作により調節することにより、設定大流量及び設定小流量を変更することが可能である。
つまり、前記流量調節手段Ｖを、主ガス路電磁弁１１及び補助ガス路電磁弁１４により構成してある。
尚、前記設定大流量及び設定小流量は、夫々適切に炊飯するのに好ましいガス燃料の流量に設定してあり、そして、それら設定大流量及び設定小流量夫々の流量にてガス燃料を通流させることが可能なように、主ガス路１３及び補助ガス路１５を設計してある。
【００１４】
又、前記主ガス路電磁弁１１を供給開始タイミングから供給終了タイミングまでの間開弁状態とし、前記供給終了タイミングになると閉弁する主ガス路用タイマー１６と、補助ガス路電磁弁１４を前記供給開始タイミングから前記供給終了タイミングよりも前の流量切換タイミングまでの間開弁状態とし、前記流量切換タイミングになると閉弁する補助ガス路用タイマー１７と、前記炊飯終了報知タイミングになると前記終了ブザー１０を作動させる炊飯終了報知用タイマー１８と、それら３個のタイマー１６，１７，１８の作動を開始させる運転開始スイッチ１９とを設けてある。
【００１５】
前記主ガス路用タイマー１６と補助ガス路用タイマー１７は、作動開始後、設定時間（以下、タイマー時間と称する場合がある）の間導電路を閉じ状態とし、タイマー時間が経過すると導電路を開き状態にするように作動する共に、前記タイマー時間を変更設定自在なタイマー時間設定部１６ｓ、１７ｓを夫々備えて構成してある。
一方、前記炊飯終了報知用タイマー１８は、作動開始後、タイマー時間の間導電路を開き状態に維持し、タイマー時間が経過すると導電路を閉じ状態にするように作動すると共に、前記タイマー時間を変更設定自在なタイマー時間設定部１８ｓを備えて構成してある。
【００１６】
図１に示すように、前記ガス燃料入口１及びガス燃料出口３は夫々、ケーシング９の側周面から外部に突出するように、ケーシング９に収納し、前記主ガス路１３及び補助ガス路１５はケーシング９の内部に収納し、前記主ガス路用タイマー１６、補助ガス路用タイマー１７及び炊飯終了報知用タイマー１８は夫々のタイマー時間設定部１６ｓ、１７ｓ、１８ｓをケーシングの側周面から外部に突出させた状態でケーシング９に収納し、前記運転開始スイッチ１９は、その操作部をケーシング９の側周面から外部に突出させた状態でケーシン９に収納してある。
【００１７】
そして、補助ガス路用タイマー１７のタイマー時間を、そのタイマー時間設定部１７ｓにより、鍋Ｎを強火にて加熱する強火炊き時間に設定し、主ガス路用タイマー１６のタイマー時間を、そのタイマー時間設定部１６ｓにて、前記強火炊き時間に弱火炊き時間を加算した炊き上げ時間に設定し、炊飯終了報知用タイマー１８のタイマー時間を、そのタイマー時間設定部１８ｓにて、前記炊き上げ時間に蒸らし時間を加算した炊飯時間に設定する。
【００１８】
ちなみに、例えば０．５４リットル（３合）の米を炊飯する場合、強火炊き時間は、例えば１０分間程度に設定し、炊き上げ時間は、例えば、強火炊き時間の１０分間に弱火炊き時間としての５分間を追加した１５分間程度に設定し、炊飯時間は、例えば、炊き上げ時間の１５分間に蒸らし時間としての１５分間を追加した３０分間程度に設定する。
【００１９】
そして、運転開始スイッチ１９にて炊飯の開始が指令されて、供給開始タイミングになると、主ガス路用タイマー１６、補助ガス路用タイマー１７及び炊飯終了報知用タイマー１８が作動し、そして、主ガス路用タイマー１６により導電路が閉じ状態となることにより、主ガス路電磁弁１１に通電されて主ガス路電磁弁１１が開弁されると共に、補助ガス路用タイマー１７により導電路が閉じ状態になることにより、補助ガス路電磁弁１４に通電されて補助ガス路電磁弁１４が開弁されて、主ガス路１３と補助ガス路１５の両方をガス燃料が流れる状態となって、ガス燃料の流量が前記設定大流量に調節される。
従って、一口ガスコンロＫのガスバーナ７には設定大流量のガス燃料が供給されるので、ガスバーナ７は強火にて燃焼し、強火にて炊飯されることになる。
続いて、強火炊き時間が経過して流量切換タイミングになると、補助ガス路用タイマー１７により導電路が開き状態に切り換えられて、補助ガス路電磁弁１４への通電が停止されることにより、補助ガス路電磁弁１４が閉弁されて補助ガス路１５のガス燃料の通流が遮断されるので、主ガス路１３のみをガス燃料が流れる状態となって、ガス燃料の流量が設定小流量に調節される。
従って、一口ガスコンロＫのガスバーナ７には設定小流量のガス燃料が供給されるので、ガスバーナ７は弱火にて燃焼し、弱火にて炊飯されることになる。
続いて、炊き上げ時間が経過して供給終了タイミングになると、主ガス路用タイマー１６により導電路が開き状態に切り換えられて、主ガス路電磁弁１１への通電が停止されることにより、主ガス路電磁弁１１が閉弁されて主ガス路１３のガス燃料の通流が遮断されるので、ガス燃料の供給が停止される。
従って、一口ガスコンロＫのガスバーナ７へのガス燃料の供給が停止されるので、ガスバーナ７は消火することになり、鍋Ｎは蒸らし状態になる。
【００２０】
続いて、炊飯時間が経過して炊飯終了報知タイミングになると、炊飯終了報知用タイマー１８により導電路が閉じ状態に切り換えられて、終了ブザー１０に通電されて、終了ブザー１０が作動することになる。
【００２１】
つまり、前記制御手段Ｃを、運転開始スイッチ１９、主ガス路用タイマー１６、補助ガス路用タイマー１７及び炊飯終了報知用タイマー１８にて構成してある。
そして、前記流量調節形態は、供給開始タイミングから流量切換タイミングまでの間は設定大流量に調節し、流量切換タイミングから供給終了タイミングまでの間は前記設定大流量よりも少ない設定小流量に調節する形態に設定し、前記炊飯終了報知タイミングは、供給終了タイミングから蒸らし時間が経過した時点とするように、前記流量調節形態に関連付けて設定してある。
又、補助ガス路用タイマー１７のタイマー時間設定部１７ｓにより、火力切換タイミングを変更設定し、主ガス路用タイマー１６のタイマー時間設定部１６ｓにより供給終了タイミングを変更設定することが可能なように構成して、前記流量調節形態を変更設定可能なように構成してある。
又、炊飯終了報知用タイマ１８ーのタイマー時間設定部１８ｓにより、炊飯終了報知タイミングを変更設定可能なように構成してある。
【００２２】
〔第２実施形態〕
以下、図面に基づいて、本発明の第２実施形態を説明する。
図３に示すように、炊飯制御用補助器Ｈは、上記の第１実施形態と同様に、ガス燃料入口１をホース２にてガス元栓Ｓに接続し、ガス燃料出口３をホース４にて一口ガスコンロＫのガス供給口５に接続して、ガス元栓Ｓと一口ガスコンロＫとの間に介装し、一口ガスコンロＫのガスバーナ７へのガス燃料の供給量を炊飯のために制御するように構成してある。
又、第１実施形態に同様に、炊飯制御用補助器Ｈは、一口ガスコンロＫを載置支持可能な偏平状に形成したケーシング９内に、炊飯制御用補助器Ｈを構成する各構成要素を収納して構成してあり、ホース４にてガス燃料出口３に接続した一口ガスコンロＫをケーシング上に載置して使用するようになっている。
【００２３】
図４に示すように、第２実施形態においては、第１実施形態と同様に、炊飯制御用補助機Ｈに、流量調節手段Ｖと、終了ブザー１０と、それら流量調節手段Ｖ及び終了ブザー１０の作動を制御する制御手段Ｃとを備えて構成してあるが、流量調節手段Ｖ及び制御手段Ｃの具体構成が第１実施形態と異なる。
【００２４】
説明を加えると、両端に前記ガス燃料入口１とガス燃料出口３とを備えた流量調節用流路２０を設け、その流量調節用流路２０に電磁弁２１と比例弁２２とを設けて、それら電磁弁２１と比例弁２２により、前記流量調節手段Ｖを構成してある。
【００２５】
予め設定して記憶させてある制御情報にて前記電磁弁２１、前記比例弁２２及び前記終了ブザー１０夫々の作動を制御するコントローラ２３と、そのコントローラ２３に対して運転の開始を指令する運転開始スイッチ２４と、前記コントローラ２３に記憶されている制御情報を変更設定する設定部２５と、その設定部２５により設定される情報を表示する表示部２６を設けてある。
前記コントローラ２３は、マイクロコンピュータを利用して構成してあり、そのコントローラ２３により前記制御手段Ｃを構成してある。
【００２６】
前記コントローラ２３には、前記制御情報として、ガス燃料の供給開始タイミングから供給終了タイミングまでの間における時間経過と流量との関係として設定された流量調節形態と、前記流量調節形態の時間経過に関連付けて設定された炊飯終了報知タイミングとを記憶させてある。
具体的には、前記流量調節形態は、供給開始タイミングから流量切換タイミングまでの間は設定大流量に調節し、流量切換タイミングから供給終了タイミングまでの間は前記設定大流量よりも少ない設定小流量に調節する形態に設定し、前記炊飯終了報知タイミングは、前記供給終了タイミングから蒸らし時間が経過した時点とするように、前記流量調節形態に関連付けて設定してある。
【００２７】
前記設定部２５は、強火炊き時間、弱火炊き時間及び蒸らし時間夫々の長さを変更設定するように構成し、表示部２６は、前記設定部により設定される情報を表示するように構成してある。
【００２８】
図３に示すように、前記ガス燃料入口１及びガス燃料出口３は夫々、ケーシング９の側周面から外部に突出するように、ケーシング９に収納し、前記流量調節用流路２０、コントローラ２３はケーシング９の内部に収納し、前記運転開始スイッチ２４及び前記設定部２５は、夫々の操作部をケーシング９の側周面から外部に突出させた状態でケーシング９に夫々収納し、前記表示部２６は、その表示面をケーシング９の側周面に露呈させた状態でケーシング９に収納してある。
【００２９】
以下、前記コントローラ２３の制御動作について説明する。
運転開始スイッチ２４から運転開始が指令されると、供給開始タイミングになったと判断して、前記電磁弁２１を開弁すると共に、流量が前記設定大流量になるように前記比例弁２２の開度を調節し、続いて、供給開始タイミングになった時点から強火炊き時間が経過すると流量切換タイミングになったと判断して、流量が前記設定小流量になるように前記比例弁２２の開度を調節し、続いて、流量切換タイミングになった時点から弱火炊き時間が経過すると供給停止タイミングになったと判断して、前記電磁弁２１を閉弁し、続いて、供給停止タイミングになった時点から蒸らし時間が経過すると炊飯終了報知タイミングになったと判断して、前記終了ブザー１０を設定時間の間作動させる。
【００３０】
尚、前記設定大流量及び設定小流量は、夫々適切に炊飯するのに好ましいガス燃料の流量に設定してあり、そして、それら設定大流量及び設定小流量夫々の流量にてガス燃料を通流させることが可能なように、設定大流量及び設定小流量夫々に対応して前記比例弁２２を制御するための制御情報を設定して、前記コントローラ２３に記憶させてある。
【００３１】
〔別実施形態〕
次に別実施形態を説明する。
（イ）  前記流量調節形態を変更設定可能なように構成するに当たって、上記の各実施形態においては、流量を変更するタイミング、即ち、設定大流量から設定小流量に切り換える流量切換タイミング、及び、供給を停止する供給終了タイミングを変更設定可能なように構成したが、流量、即ち、前記設定大流量及び設定小流量を変更設定可能なように構成しても良い。あるいは、前記流量切換タイミング及び流量の両方を変更設定可能なように構成しても良い。
【００３２】
（ロ）  前記流量調節形態の具体形態は、上記の実施形態において例示した形態に限定されるものではない。
例えば、上記の実施形態では、供給開始タイミングから流量切換タイミングまでの時間帯と、流量切換タイミングから供給終了タイミングまでの時間帯の２段階で流量を変更する流量調節形態とする場合について例示したが、３段階以上で流量を変更する流量調節形態としても良い。例えば、３段階以上で流量を変更する流量調節形態とする場合、流量を設定大流量とする強火炊きの時間帯の前に、流量を前記設定大流量よりも少ない流量に設定する予備炊きの時間帯を追加しても良い。
又、流量を所定の増加率で漸増させたり、所定の減少率で漸減させたりする流量調節形態とすることも可能である。
【００３３】
（ハ）  外部燃焼機器の具体例としては、上記の実施形態において例示した一口ガスコンロＣに限定されるものではなく、例えば、二口ガスコンロやガスかまどでも良い。又、テーブルに組み付けられているガスコンロでも良い。
【００３４】
（ニ）  上記の実施形態においては、炊飯制御用補助器Ｈを、外部燃焼機器Ｋを載置支持可能な偏平状に形成されたケーシング９を備えて構成して、炊飯制御用補助器Ｈを外部燃焼機Ｋの載置台として利用可能なように構成する場合について例示したが、炊飯制御用補助器Ｈを外部燃焼機器Ｋの載置台として利用可能なように構成する場合に限定されるものではなく、炊飯制御用補助器Ｈと外部燃焼機器Ｋとを別々に設置するようにしても良い。
【図面の簡単な説明】
【図１】第１実施形態にかかる炊飯制御用補助器の斜視図
【図２】第１実施形態にかかる炊飯制御用補助器のブロック図
【図３】第２実施形態にかかる炊飯制御用補助器の斜視図
【図４】
第２実施形態にかかる炊飯制御用補助器のブロック図
【符号の説明】
１    ガス燃料入口
３    ガス燃料出口
９    ケーシング
１０  報知手段
Ｃ    制御手段
Ｋ    外部燃焼機器
Ｓ    ガス燃料供給源
Ｖ    流量調節手段
【図１】
2004209135.tif 000003
【図２】
2004209135.tif 000004
【図３】
2004209135.tif 000005
【図４】
2004209135.tif 000006